【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
ノズル列を形成する複数のノズルを有する記録ヘッドを前記ノズル列と交差する方向に記録媒体と相対的に走査することによって、画像を形成するためのドットを前記記録媒体上に記録するインクジェット記録装置であり、前記画像を形成する各ラスタにおいてマルチパス記録モードの各走査間で異なるノズルにより記録するインクジェット記録装置であって、
前記複数のノズルを隣接する複数のノズルごとのグループに分け、各グループから選択された１つずつのノズルがブロックとしてまとめられ、各グループにおいてブロック間でノズルの駆動タイミングを異ならせるようにノズルの駆動を制御する駆動制御手段と、
前記マルチパス記録モードの各走査で、前記駆動制御手段によるノズルの駆動順序を決定する決定手段と、を備え、
隣接する記録ドットは２つのノズルにより記録され、前記２つのノズルの駆動タイミングは互いに異なり、
前記決定手段は、各ラスタにおいて前記隣接する記録ドット間の各間隔が実質的に均等になるように、前記マルチパス記録モードの各走査でノズルの駆動順序を決定し、
前記各間隔は、前記隣接する記録ドットの駆動タイミングのタイミング差に対応し、前記タイミング差は、ブロック周期を走査数で除算した商と前記ブロック周期との和に応じたブロック数に対応する、
ことを特徴とするインクジェット記録装置。
【請求項２】
前記決定手段は、前記マルチパス記録モードの各走査で、前記各間隔が実質的に均等になるような全ての可能なノズルの駆動順序のうち、前記各間隔が最も長くなるようなノズルの駆動順序を決定することを特徴とする請求項１に記載のインクジェット記録装置。
【請求項３】
前記決定手段は、前記隣接する記録ドットが異なるノズルで記録されるよう１走査において記録される画素を決定するためのマスクパターンに従って、前記マルチパス記録モードの各走査で、前記隣接する記録ドットが前記２つのノズルにより記録されるよう前記記録ヘッドにより前記記録媒体上に形成されるべきドットの配置をさらに決定することを特徴とする請求項１又は２に記載のインクジェット記録装置。
【請求項４】
前記隣接する記録ドットそれぞれは、ノズルの駆動タイミングに従って記録され、
前記隣接する記録ドットそれぞれの駆動タイミングの相対的なタイミング差であるタイミング間隔ＢＬは、
ＢＬ＝Ｎｂ／Ｎｐ（ここで、Ｎｂは前記ブロック周期でのタイミング数であり、Ｎｐは走査数である）
により算出されることを特徴とする請求項１乃至３のいずれか１項に記載のインクジェット記録装置。
【請求項５】
前記隣接する記録ドットそれぞれは、ノズルの駆動タイミングに従って記録され、
前記隣接する記録ドットそれぞれの駆動タイミングの相対的なタイミング差であるタイミング間隔ＢＬは、
前記ブロック周期でのタイミング数Ｎｂが走査数Ｎｐで割り切れる場合には、
ＢＬ＝Ｎｂ／Ｎｐ
により算出され、
前記ブロック周期でのタイミング数Ｎｂが走査数Ｎｐで割り切れない場合には、
ＢＬ＝（ＮｂをＮｐで除算した場合の商）＋１
により算出されることを特徴とする請求項１乃至３のいずれか１項に記載のインクジェット記録装置。
【請求項６】
ノズル列を形成する複数のノズルを有する記録ヘッドを前記ノズル列と交差する方向に記録媒体と相対的に走査することによって、画像を形成するためのドットを前記記録媒体上に記録するインクジェット記録装置であり、前記画像を形成する各ラスタにおいてマルチパス記録モードの各走査間で異なるノズルにより記録するインクジェット記録装置において実行されるノズル駆動制御方法であって、
前記複数のノズルを隣接する複数のノズルごとのグループに分け、各グループから選択された１つずつのノズルがブロックとしてまとめられ、各グループにおいてブロック間でノズルの駆動タイミングを異ならせるようにノズルの駆動を制御する駆動制御工程と、
前記マルチパス記録モードの各走査で、前記駆動制御工程におけるノズルの駆動順序を決定する決定工程と、を有し、
隣接する記録ドットは２つのノズルにより記録され、前記２つのノズルの駆動タイミングは互いに異なり、
前記決定工程では、各ラスタにおいて前記隣接する記録ドット間の各間隔が実質的に均等になるように、前記マルチパス記録モードの各走査でノズルの駆動順序を決定し、
前記各間隔は、前記隣接する記録ドットの駆動タイミングのタイミング差に対応し、前記タイミング差は、ブロック周期を走査数で除算した商と前記ブロック周期との和に応じたブロック数に対応する、
ことを特徴とするノズル駆動制御方法。
【請求項７】
前記決定工程では、前記マルチパス記録モードの各走査で、前記各間隔が実質的に均等になるような全ての可能なノズルの駆動順序のうち、前記各間隔が最も長くなるようなノズルの駆動順序を決定することを特徴とする請求項６に記載のノズル駆動制御方法。
【請求項８】
前記決定工程では、前記隣接する記録ドットが異なるノズルで記録されるよう１走査において記録される画素を決定するためのマスクパターンに従って、前記マルチパス記録モードの各走査で、前記隣接する記録ドットが前記２つのノズルにより記録されるよう前記記録ヘッドにより前記記録媒体上に形成されるべきドットの配置をさらに決定することを特徴とする請求項６又は７に記載のノズル駆動制御方法。
【請求項９】
前記隣接する記録ドットそれぞれは、ノズルの駆動タイミングに従って記録され、
前記隣接する記録ドットそれぞれの駆動タイミングの相対的なタイミング差であるタイミング間隔ＢＬは、
ＢＬ＝Ｎｂ／Ｎｐ（ここで、Ｎｂは前記ブロック周期でのタイミング数であり、Ｎｐは走査数である）
により算出されることを特徴とする請求項６乃至８のいずれか１項に記載のノズル駆動制御方法。
【請求項１０】
前記隣接する記録ドットそれぞれは、ノズルの駆動タイミングに従って記録され、
前記隣接する記録ドットそれぞれの駆動タイミングの相対的なタイミング差であるタイミング間隔ＢＬは、
前記ブロック周期でのタイミング数Ｎｂが走査数Ｎｐで割り切れる場合には、
ＢＬ＝Ｎｂ／Ｎｐ
により算出され、
前記ブロック周期でのタイミング数Ｎｂが走査数Ｎｐで割り切れない場合には、
ＢＬ＝（ＮｂをＮｐで除算した場合の商）＋１
により算出されることを特徴とする請求項６乃至８のいずれか１項に記載のノズル駆動制御方法。
【請求項１１】
ノズル列を形成する複数のノズルを有する記録ヘッドを前記ノズル列と交差する方向に記録媒体と相対的に走査することによって、各ラスタをマルチパス記録モードで前記記録媒体上に記録するインクジェット記録装置であり、各ラスタにおいてマルチパス記録モードの各走査間で異なるノズルにより記録するインクジェット記録装置であって、
前記複数のノズルを隣接する複数のノズルごとのグループに分け、各グループから選択された１つずつのノズルがブロックとしてまとめられ、各グループにおいてブロック間でノズルの駆動タイミングを異ならせるようにノズルの駆動を制御する駆動制御手段と、
前記マルチパス記録モードの各走査で、前記駆動制御手段によるノズルの駆動順序を決定する決定手段と、を備え、
隣接する記録ドットは２つのノズルにより記録され、前記２つのノズルの駆動タイミングは互いに異なり、
前記決定手段は、各ラスタにおいて前記隣接する記録ドット間の各間隔が実質的に均等になるように、マルチパス記録モードの各走査でノズルの駆動順序を決定し、
前記決定手段は、前記マルチパス記録モードの各走査で、前記各間隔が実質的に均等になるような全ての可能なノズルの駆動順序のうち、前記各間隔が最も長くなるようなノズルの駆動順序を決定する、ことを特徴とするインクジェット記録装置。
【請求項１２】
前記隣接する記録ドットは、異なるノズルにより記録されることを特徴とする請求項１１に記載のインクジェット記録装置。
【請求項１３】
前記隣接する記録ドットそれぞれは、前記隣接する記録ドットが異なるノズルで記録されるよう１走査において記録される画素を決定するためのマスクパターンに従って、前記記録ヘッドにより記録されることを特徴とする請求項１２に記載のインクジェット記録装置。
【請求項１４】
前記隣接する記録ドットそれぞれは、ノズルの駆動タイミングに従って記録され、
前記隣接する記録ドットそれぞれの駆動タイミングの相対的なタイミング差であるタイミング間隔ＢＬは、
ＢＬ＝Ｎｂ／Ｎｐ（ここで、Ｎｂはブロック周期でのタイミング数であり、Ｎｐは走査数である）
により算出されることを特徴とする請求項１１乃至１３のいずれか１項に記載のインクジェット記録装置。
【請求項１５】
前記隣接する記録ドットそれぞれは、ノズルの駆動タイミングに従って記録され、
前記隣接する記録ドットそれぞれの駆動タイミングの相対的なタイミング差であるタイミング間隔ＢＬは、
ブロック周期でのタイミング数Ｎｂが走査数Ｎｐで割り切れる場合には、
ＢＬ＝Ｎｂ／Ｎｐ
により算出され、
前記ブロック周期でのタイミング数Ｎｂが走査数Ｎｐで割り切れない場合には、
ＢＬ＝（ＮｂをＮｐで除算した場合の商）＋１
により算出されることを特徴とする請求項１１乃至１３のいずれか１項に記載のインクジェット記録装置。
【請求項１６】
ノズル列を形成する複数のノズルを有する記録ヘッドを前記ノズル列と交差する方向に記録媒体と相対的に走査することによって、各ラスタをマルチパス記録モードで前記記録媒体上に記録するインクジェット記録装置であり、各ラスタにおいてマルチパス記録モードの各走査間で異なるノズルにより記録するインクジェット記録装置において実行されるノズル駆動制御方法であって、
前記複数のノズルを隣接する複数のノズルごとのグループに分け、各グループから選択された１つずつのノズルがブロックとしてまとめられ、各グループにおいてブロック間でノズルの駆動タイミングを異ならせるようにノズルの駆動を制御する駆動制御工程と、
前記マルチパス記録モードの各走査で、前記駆動制御工程におけるノズルの駆動順序を決定する決定工程と、を有し、
隣接する記録ドットは２つのノズルにより記録され、前記２つのノズルの駆動タイミングは互いに異なり、
前記決定工程では、各ラスタにおいて前記隣接する記録ドット間の各間隔が実質的に均等になるように、マルチパス記録モードの各走査でノズルの駆動順序を決定し、
前記決定工程では、前記マルチパス記録モードの各走査で、前記各間隔が実質的に均等になるような全ての可能なノズルの駆動順序のうち、前記各間隔が最も長くなるようなノズルの駆動順序を決定する、ことを特徴とするノズル駆動制御方法。
【請求項１７】
前記隣接する記録ドットは、異なるノズルにより記録されることを特徴とする請求項１６に記載のノズル駆動制御方法。
【請求項１８】
前記隣接する記録ドットそれぞれは、前記隣接する記録ドットが異なるノズルで記録されるよう１走査において記録される画素を決定するためのマスクパターンに従って、前記記録ヘッドにより記録されることを特徴とする請求項１７に記載のノズル駆動制御方法。
【請求項１９】
前記隣接する記録ドットそれぞれは、ノズルの駆動タイミングに従って記録され、
前記隣接する記録ドットそれぞれの駆動タイミングの相対的なタイミング差であるタイミング間隔ＢＬは、
ＢＬ＝Ｎｂ／Ｎｐ（ここで、Ｎｂはブロック周期でのタイミング数であり、Ｎｐは走査数である）
により算出されることを特徴とする請求項１６乃至１８のいずれか１項に記載のノズル駆動制御方法。
【請求項２０】
前記隣接する記録ドットそれぞれは、ノズルの駆動タイミングに従って記録され、
前記隣接する記録ドットそれぞれの駆動タイミングの相対的なタイミング差であるタイミング間隔ＢＬは、
ブロック周期でのタイミング数Ｎｂが走査数Ｎｐで割り切れる場合には、
ＢＬ＝Ｎｂ／Ｎｐ
により算出され、
前記ブロック周期でのタイミング数Ｎｂが走査数Ｎｐで割り切れない場合には、
ＢＬ＝（ＮｂをＮｐで除算した場合の商）＋１
により算出されることを特徴とする請求項１６乃至１８のいずれか１項に記載のノズル駆動制御方法。
【手続補正２】
【補正対象書類名】明細書
【補正対象項目名】０００９
【補正方法】変更
【補正の内容】
【０００９】
本発明の目的は、このような従来の問題点を解決することにある。そこで、上記の点に鑑み、本発明に係るインクジェット記録装置は、ノズル列を形成する複数のノズルを有する記録ヘッドを前記ノズル列と交差する方向に記録媒体と相対的に走査することによって、画像を形成するためのドットを前記記録媒体上に記録するインクジェット記録装置であり、前記画像を形成する各ラスタにおいてマルチパス記録モードの各走査間で異なるノズルにより記録するインクジェット記録装置であって、前記複数のノズルを隣接する複数のノズルごとのグループに分け、各グループから選択された１つずつのノズルがブロックとしてまとめられ、各グループにおいてブロック間でノズルの駆動タイミングを異ならせるようにノズルの駆動を制御する駆動制御手段と、前記マルチパス記録モードの各走査で、前記駆動制御手段によるノズルの駆動順序を決定する決定手段と、を備え、隣接する記録ドットは２つのノズルにより記録され、前記２つのノズルの駆動タイミングは互いに異なり、前記決定手段は、各ラスタにおいて前記隣接する記録ドット間の各間隔が実質的に均等になるように、前記マルチパス記録モードの各走査でノズルの駆動順序を決定し、前記各間隔は、前記隣接する記録ドットの駆動タイミングのタイミング差に対応し、前記タイミング差は、ブロック周期を走査数で除算した商と前記ブロック周期との和に応じたブロック数に対応する、ことを特徴とする。